(57)【要約】      （修正有）【課題】作業者の負担を軽減し、作業の迅速化及び効率化を図ると共に、マットレスに対して容易に装着することができ、且つ装着後の見栄えがよいマットレス用シーツを提供する。【解決手段】直方体形状のマットレス１０を覆うシート状のシーツ本体３０を備えたマットレス用シーツであって、シーツ本体３０には、マットレス１０の１辺の両側角部１２にそれぞれ差し込む２個で一対の差し込み部３６、３８を設け、一対の差し込み部３６、３８をシーツ本体３０の表面３５と裏面３７のそれぞれに設ける。これにより、シーツ本体３０の表面３５と裏面３７の両面をシーツの上側として使用することができる。【選択図】図１
0003222471.tif 000002
【実用新案登録請求の範囲】
【請求項１】
直方体形状のマットレスを覆うシート状のシーツ本体を備えたマットレス用シーツであって、
前記シーツ本体には、前記マットレスの角部が挿入される差し込み部が設けられており、
前記差し込み部は、前記マットレスの１辺の両側角部にそれぞれ差し込むために２個で一対となっており、
前記一対の差し込み部は、前記シーツ本体の表面と裏面のそれぞれに設けられていることを特徴とするマットレス用シーツ。
【請求項２】
前記表面の一対の差し込み部と前記裏面の一対の差し込み部は、前記シーツ本体の対向する一辺と他辺に沿ってそれぞれ設けられおり、シーツ本体の表裏面を１８０度回転させた場合において、シーツ本体の表面を上面視したときと、シーツ本体の裏面を上面視したときで同じ態様となるように設けられていることを特徴とする請求項１に記載のマットレス用シーツ。
【請求項３】
前記表面の一対の差し込み部と前記裏面の一対の差し込み部は、一方の一対の差し込み部をマットレスの角部に差し込み前記シーツ本体で前記マットレスを被装したとき、他方の一対の差し込み部は前記マットレスの下面に位置するように設けられていることを特徴とする請求項１又は２に記載のマットレス用シーツ。
【請求項４】
前記差し込み部は、１辺を開口部とする三角形状であって、シート状の差し込み部用布片を前記シーツ本体に重ね合わせ前記開口部を除く２辺を縫着して形成されていることを特徴とする請求項１から３のいずれか１項に記載のマットレス用シーツ。
【考案の詳細な説明】
【技術分野】
【０００１】
本考案は、マットレスを覆うマットレス用シーツに関する。
【背景技術】
【０００２】
ホテルや病院等のベッドで使用するマットレスには、汚れ防止や使用者の感触を和らげるためにシーツが着脱可能に装着されている。シーツは清潔を保つために常に洗濯された新しいシーツと交換されるが、シーツの交換作業は、シート状のシーツをマットレスの４辺の下面側に敷き込み、シーツに皺のないようにマットレスに被装する必要があり、日々相当数のシーツ交換を行う作業者にとって大変な重労働となっていた。
【０００３】
そこで、シーツの交換作業を容易にするため、シーツ本体の長手方向一端側を折り返してマットレス挿入部を形成し、このマットレス挿入部にマットレスの先端側を挿入するマットレス用シーツが提供されている（特許文献１参照）。
【先行技術文献】
【特許文献】
【０００４】
【特許文献１】特開２００１−２８６３７０号公報
【考案の概要】
【考案が解決しようとする課題】
【０００５】
しかしながら、上記特許文献１に記載されたマットレス用シーツは、マットレス挿入部を有する面がシーツの裏面となり、その反対面が表面となるため、シーツをマットレスに装着する際に、作業者がシーツの表面と裏面を目視で確認する必要があり、もしシーツを広げたときにシーツの上側（以下、シーツをマットレスに装着するときに上面となるのを「上側」又は「表側」、下面となるのを「下側」又は「裏側」として説明する。）が裏面になっている場合には、作業者はシーツの上側（表側）が表面となるように引っくり返してからシーツをマットレスに装着しなければならず、シーツの装着作業に手間が掛かってしまう。特に、ホテルや病院等では日々多くのシーツ交換作業を行うため、シーツ１枚１枚表面と裏面を目視で確認する作業は非常に面倒で効率が悪く、作業者に多大な労力を強いることになる。
【０００６】
また、特許文献１に記載されたマットレス用シーツのように、表面と裏面に区別があるシーツを折り畳む場合には、シーツの表面が上側（表側）となるようにシーツを折り畳む必要があるため、シーツを仕上げ、折り畳むフォルダー機に投入する際には、シーツの表面と裏面を目視で確認してからシーツをフォルダー機に投入しなければならない。このように、洗濯・乾燥したシーツを折り畳む作業の場面においても、シーツの装着作業時と同じ問題が生じる。
【０００７】
本考案は、上記問題に鑑みてなされたものであって、作業者の負担を軽減し、作業の迅速化及び効率化を図ると共に、マットレスに対して容易に装着することができ、且つ装着後の見栄えがよいマットレス用シーツを提供することにある。
【課題を解決するための手段】
【０００８】
上記の目的を達成するために請求項１に記載の考案は、直方体形状のマットレスを覆うシート状のシーツ本体を備えたマットレス用シーツであって、前記シーツ本体には、前記マットレスの１辺の両側角部にそれぞれ差し込む２個で一対の差し込み部が設けられており、前記一対の差し込み部は、前記シーツ本体の表面と裏面のそれぞれに設けられていることを特徴とすることを特徴とする。
【０００９】
請求項１に記載の考案によれば、マットレスの１辺の両側角部にそれぞれ差し込む２個で一対の差し込み部が、シーツ本体の表面と裏面のそれぞれに設けられているので、シーツ本体の表面と裏面の両面をシーツの上側（表側）として使用することができ、表裏面の概念がなくなるため、シーツの表裏面を目視で確認する必要がない。
【００１０】
請求項２に記載の考案は、請求項１に記載の、前記表面の一対の差し込み部と前記裏面の一対の差し込み部は、前記シーツ本体の対向する一辺と他辺に沿ってそれぞれ設けられおり、シーツ本体の表裏面を１８０度回転させた場合において、シーツ本体の表面を上面視したときと、シーツ本体の裏面を上面視したときで同じ態様となるように設けられていることを特徴とする。
【００１１】
請求項２に記載の考案によれば、表面の一対の差し込み部と裏面の一対の差し込み部は、シーツ本体の表面を上面視したときと、シーツ本体の裏面を上面視したときで同じ態様となっているので、広げたシーツの上側（表側）には必ず一対の差し込み部があり、そして、一対の差し込み部が所望の位置にない場合でも、上側（表側）にある差し込み部の位置を確認しながらシーツ本体を平面回転させれば、差し込み部を所望の位置に移動することができる。このように、シーツ本体を広げたときに一対の差し込み部が所望の位置にない場合でもシーツ本体を引っくり返す必要がなく、シーツ本体を表裏面関係なく使用することができる。
【００１２】
請求項３に記載の考案は、請求項１又は２に記載の、前記表面の一対の差し込み部と前記裏面の一対の差し込み部は、一方の一対の差し込み部をマットレスの角部に差し込み前記シーツ本体で前記マットレスを被装したとき、他方の一対の差し込み部は前記マットレスの下面に位置するように設けられていることを特徴とする。
【００１３】
請求項３に記載の考案によれば、シーツ本体をマットレスに装着する際は、シーツ本体の下側にある一対の差し込み部をマットレスの角部に差し込むため、マットレスの角部に差し込んだ一対の差し込み部は、シーツ本体の下側（裏側）となるため外部に露出せず、また、使用していない一対の差し込み部は、マットレスの下面側に敷き込まれるので、すべての差し込み部が外部に露出することなく、外観を損なうことがない。
【００１４】
請求項４に記載の考案は、請求項１から３のいずれか１項に記載の、前記差し込み部は、前記マットレスの角部が挿入される開口部を底辺とする三角形状であって、１枚の布地を前記シーツ本体に重ね合わせ前記開口部を除く２辺を縫着して形成されていることを特徴とする。
【００１５】
請求項４に記載の考案によれば、各差し込み部は、各１枚の布地をシーツ本体に重ね合わせ開口部を除く２辺を縫着して形成されているので、各差し込み部とシーツ本体は密着した状態であり、シーツを折り畳むときやシーツを装着するときに差し込み部が邪魔にならない。また、差し込み部は、１辺を開口部とする三角形状となっているので、マットレスにシーツ本体を装着する際には、開口部を広げてマットレスの角部に差し込み部を引っ掛けるだけでよく、マットレスに対して容易に装着することができる。
【考案の効果】
【００１６】
本考案によれば、作業者の負担を軽減し、作業の迅速化及び効率化を図ると共に、マットレスに対して容易に装着することができ、且つ装着後の見栄えがよいマットレス用シーツを提供することができる。
【図面の簡単な説明】
【００１７】
【図１】本考案に係るマットレス用シーツの実施形態の一例であって、マットレスとシーツ本体を示す斜視図である。
【図２】マットレスの角部に差し込み部が挿入された状態を示す説明図である。
【図３】マットレスにシーツ本体を装着した状態を示す図であり、（Ａ）は斜視図、（Ｂ）は側面から見た説明図である。
【図４】シーツ本体の平面図である。
【図５】本考案に係るマットレス用シーツの変形例におけるシーツ本体を示す平面図である。
【図６】本考案に係るマットレス用シーツの変形例であって、マットレスにシーツ本体を装着した状態を示す図であり、（Ａ）は斜視図、（Ｂ）及び（Ｃ）は側面から見た説明図である。
【考案を実施するための形態】
【００１８】
以下、本考案に係るマットレス用シーツを実施するための形態を、図面を参照して詳細に説明する
本例のマットレス用シーツ１は、病院やホテル等のベッド２で使用されている直方体形状のマットレス１０に対し、このマットレス１０を覆うシーツ本体３０を備えている。
【００１９】
図１に示すように、シーツ本体３０は、シート状であり、全体形状が長方形状となっている。シーツ本体３０の大きさは、マットレス１０の下面１１以外の面を覆い、且つ残りの部分をマットレス１０の下面１１側に押し込んだとき、後述する使用していない差し込み部をマットレス１０の下面１１側に敷き込むことができる大きさとなっている。
【００２０】
シーツ本体３０は、１枚の伸びない織物布地の素材、好ましくは布帛により形成されている。布帛とは、棉、麻、絹、またはそれらを混合したものを原糸とする布、織物といった線製品の総称であり、一般的には織機を用いて縦糸と横糸を交互に通して織上げた生地のことである。シーツ本体３０としては、例えば綿、ポリエステル、綿とポリエステルの混合等が用いられる。
【００２１】
図１及び図２に示すように、シーツ本体３０には、マットレス１０の角部１２が挿入される差し込み部３１が設けられている。差し込み部３１は、１枚のシート状の差し込み部用布片３２をシーツ本体１０に重ね合わせ、縫着して形成されており、マットレス１０の角部１２が挿入される開口部３３と、シーツ本体１０に縫着される縫着部３４とを備えている。
【００２２】
本例では、差し込み部３１は、直角三角形状の差し込み部用布片３２からなり、直角を挟む２辺（隣辺）が縫着部３４となり、直角の対辺（斜辺）が開口部３３となっている。差し込み部用布片３２は、１枚の伸びない織物布地の素材でもよいし、伸縮性を有する編物布地の素材でもよい。本例では、差し込み部用布片３２は、シーツ本体３０と同じ素材の布片が用いられる。
【００２３】
２辺の縫着部３４は、ダブルステッチ等により強固に縫着するのが好ましく、特に、開口部３３の両端に位置する縫着部３４の端部は、シーツ本体３０をマットレス１０に装着する際に最も負荷かがかかる部分であるため、より強固に縫着するのが好ましい。
【００２４】
差し込み部３１における１辺の縫着部３４の長さは、マットレス１０の厚さ以上の長さが好ましい。１辺の縫着部３４の長さをマットレス１０の厚さ以上の長さとすると、開口部３３が大きくなるためマットレス１０の角部１２が挿入しやすくなる。また、差し込み部３１の奥行きも大きくなるため、角部１２を包み込むように挿入することができ、差し込み部３１に挿入された角部１２が差し込み部３１から外れることなく、差し込み部３１に挿入された状態をしっかりと保持することができる。本例では、マットレス１０の厚さが約２２ｃｍに対して、１辺の縫着部３４の長さが約３０ｃｍとなっている。
【００２５】
差し込み部３１は、マットレス１０の１辺の両側角部１２にそれぞれ差し込むために２個で一対となって設けられており、シーツ本体３０の表面３５と裏面３７のそれぞれに一対の差し込み部３６，３８が設けられている。差し込み部３１を挿入するマットレス１０の角部１２は、マットレス３１の上面側の両側角部１２であってもよいし（図６（Ａ）〜（Ｃ）参照）、マットレスの下面１１側の両側角部１２であってもよい（図２、図３（Ａ）〜（Ｂ）参照）。
【００２６】
表面３５の一対の差し込み部３６と裏面３７の一対の差し込み部３８は、シーツ本体３０の対向する２辺の一辺３９と他辺４０に沿ってそれぞれ設けられている。本例では、一対の差し込み部３６，３８は、マットレス１０の短辺側（天地側）の両側角部１２に差し込むようになっており、短辺側の一辺３９の表面３５に一対の差し込み部３６、他辺４０の裏面３７に一対の差し込み部３８が、それぞれ短辺側の一辺３９と他辺４０に沿って設けられている。一対の差し込み部３６，３８は、内側に開口部３３が向くように、一対の差し込み部３６，３８の中間を対称軸として、互いに線対称となるよう設けられている。一対の差し込み部３６（３８）における各差し込み部３６ａ，３６ｂ（３８ａ，３８ｂ）の距離は、マットレス１０の１辺の両側角部１２に差し込み部３１がそれぞれ差し込める長さとなっており、マットレス１０の大きさに合わせて適宜決定される。
【００２７】
また、図４に示すように、表面３５の一対の差し込み部３６と裏面３７の一対の差し込み部３８は、シーツ本体３０の表裏面を１８０度回転させた場合において、シーツ本体３０の表面３５を上面視したときと、シーツ本体３０の裏面３７を上面視したときで同じ態様となるように設けられている。即ち、一対の差し込み部３６（３８）は、各差し込み部３６ａ，３６ｂ（３８ａ，３８ｂ）を結ぶ仮想線に対して直交方向にシーツ本体３０の表裏面を反転させたとき、表面３５と裏面３７が同一の態様となる回転対称に設けられている。
【００２８】
また、表面３５の一対の差し込み部３６と裏面３７の一対の差し込み部３８は、表面３５がシーツ本体３０の上側（表側）に位置した（裏面３７がシーツ本体３０の下側（裏側）に位置した）状態において、裏面３７の一対の差し込み部３８をマットレス１０の角部１２に差し込んでシーツ本体３０をマットレス１０に装着したとき、表面３５の一対の差し込み部３６がマットレス１０の下面１１に位置するように設けられており（図３参照）、逆に、シーツ本体３０を裏返して、裏面３７が上側（表側）に位置した（表面３５が下側（裏側）に位置した）状態において、表面３５の一対の差し込み部３６をマットレス１０の角部１２に差し込んでシーツ本体３０をマットレス１０に装着したとき、裏面３７の一対の差し込み部３８がマットレス１０の下面１１に位置するように設けられている。
【００２９】
次に、本例のシーツ本体３０をマットレス１０に装着する方法について説明する。
まず、マットレス１０の上にシーツ本体３０を広げる。このとき、シーツ本体３０には、シーツ本体３０を広げた上側（表側）と下側（裏側）のそれぞれに一対の差し込み部３６，３８が存在する。そして、マットレス１０の頭部側（マットレスを利用する者の頭部が位置する側）の両角部１２に一対の差し込み部３６，３８のうち下側（裏側）の一対の差し込み部３８を挿入する場合には、下側（裏側）の一対の差し込み部３８がマットレス１０の頭部側に来るようにシーツ本体３０の位置を調整する。シーツ本体３０を広げたとき、下側（裏側）の一対の差し込み部３８がマットレス１０の頭部側ではなく足側にあるときは、シーツ本体３０を１８０度水平回転させて、下側（裏側）の一対の差し込み部３８がマットレス１０の頭部側に来るようにシーツ本体３０の位置を調整する。そして、下側（裏側）の一対の差し込み部３８をマットレス１０の頭部側にある下面１１側の両角部１２に挿入し、頭部側のシーツ本体３０をマットレス１０の下面１１に敷き込む。そして、マットレス１０の足側からシーツ本体３０を引っ張って皺を伸ばし、足側にあるシーツ本体３０をマットレス１０の下面１１に巻き込む。このとき、シーツ本体３０の上側（表側）にある一対の差し込み部３６をマットレス１０の下面１１に敷き込む。次いで、マットレス１０の両側にあるシーツ本体３０を引っ張って皺を伸ばし、マットレス１０の下面１１に巻き込む。このして、マットレス１０にシーツ本体３０が装着される。
【００３０】
このような本例のマットレス用シーツ１によれば、シーツ本体３０には、シーツ本体３０の表面３５と裏面３７のそれぞれに一対の差し込み部３６，３８が設けられているので、シーツ本体３０の表面３５と裏面３６の両面をシーツの上側（表側）として使用することができ、表裏面の概念がなくなる。このように、シーツの表裏面を目視で確認する必要がないため、作業者の負担が軽減され、作業の迅速化及び効率化を図ることできる。
【００３１】
また、表面３５の一対の差し込み部３６と裏面３７の一対の差し込み部３８は、シーツ本体３０の表裏面を１８０度回転させた状態で、シーツ本体３０の表面３５を上面視したときと、シーツ本体３０の裏面３６を上面視したときで同じ態様となっているので、広げたシーツの上側（表側）には必ず一対の差し込み部３６（３８）があり、そして、一対の差し込み部３６（３８）が所望の位置にない場合でも、上側（表側）にある差し込み部３６（３８）の位置を確認しながらシーツ本体３０を平面回転させれば、一対の差し込み部３６（３８）を所望の位置に移動することができる。このように、シーツ本体３０を広げたときに一対の差し込み部３６，３８が所望の位置にない場合でもシーツ本体３０を引っくり返す必要がなく、シーツ本体３０を表裏面関係なく使用することができる。
【００３２】
さらに、表面３５の一対の差し込み部３６と裏面３７の一対の差し込み部３８は、一方の一対の差し込み部３６（３８）をマットレス１０の角部１１に差し込みシーツ本体３０でマットレス１０を被装したとき、他方の一対の差し込み部は３８（３６）マットレス１０の下面１１に位置するように設けられているので、マットレス１０の角部１２に差し込んだ一方の一対の差し込み部３６（３８）は、シーツ本体３０の下側（裏側）となるため外部に露出せず、また、使用していない他方の一対の差し込み部３８（３６）は、マットレス１０の下面１１側に敷き込まれるため、すべての差し込み部３１が外部に露出することなく、外観を損なうことがない。
【００３３】
そして、差し込み部３１は、１枚の布地をシーツ本体に重ね合わせ開口部３３を除く２辺を縫着して形成されているので、差し込み部３１とシーツ本体３０は密着した状態であり、シーツを折り畳むときやシーツを装着するときに差し込み部３１が邪魔にならない。また、差し込み部３１は、１辺を開口部３３とする三角形状となっているので、マットレス１０にシーツ本体３０を装着する際には、開口部３３を広げてマットレス１０の角部１２に差し込み部３１を引っ掛けるだけでよく、マットレス１０に対して容易に装着することができる。
【００３４】
次に、本実施形態のマットレス用シーツ１の変形例について、図５を参照して説明する。以下、上述の実施形態と異なる点のみ説明する。
変形例では、一対の差し込み部３６，３８は、マットレス１０の長辺側（長手側）の両側角部１２に差し込むようになっており、シーツ本体３０の表面３５と裏面３７のそれぞれにシーツ本体３０の長辺側に沿ってそれぞれ設けられている。
【００３５】
なお、本考案は、上述の実施形態に限定されるものではなく、本考案の要旨を逸脱しない範囲において適宜の変更が可能である。
本例では、差し込み部３１及び差し込み部用布片３２は三角形状となっているが、差し込み部３１は、開口部３３にマットレス１０の角部１２が挿入できればその形状は特に限定されず、また、差し込み部用布片３２も、差し込み部３１を形成できる布片であればその形状は特に限定されない。
また、本例では、マットレス１０の頭部側から足側の順でシーツ本体３０を掛けているが、マットレス１０の足側から頭部側の順でシーツ本体３０を掛けてもよい。即ち、下側（裏側）の一対の差し込み部３８をマットレス１０の足側の両側角部１２に挿入し、マットレス１０の頭部側からシーツ本体３０を引っ張って皺を伸ばしてもよい。角部１２に差し込み部３１を挿入した部分のシーツ本体３０は、弛み易く皴なく張ることが難しいところ、このように、下側（裏側）の一対の差し込み部３８をマットレス１０の足側の両側角部１２に挿入すると、マットレス１０の足側は掛布団や毛布で覆われるため、弛み易い部分のシーツ本体１０を隠すことができ、装着後の見栄えがよい。
また、本例では、下側（裏側）の一対の差し込み部３８をマットレス１０の下面１１側の両側角部１２に挿入しているが、下側（裏側）の一対の差し込み部３８をマットレス１０の上面側の両側角部１２に挿入してもよい（図６（Ａ）〜（Ｂ）参照）。また、頭部側のシーツ本体３０の余り部分は、マットレス１０の下面１１にまで敷き込んだ状態とするのではなく（図６（Ｂ）参照）、ベッド２の頭部側に位置しベッド２を構成する背板とマットレス１０との間に挟み込んだ状態としてもよい（図６（Ｃ）参照）。
【符号の説明】
【００３６】
１  マットレス用シーツ
１０ マットレス
１１  下面
１２  角部
３０  シーツ本体
３１  差し込み部
３２  差し込み部用布片
３３  開口部
３４  縫着部
３５  表面
３６  表面の一対の差し込み部
３７  裏面
３８  裏面の一対の差し込み部
３９  一辺
４０  他辺
【図１】
0003222471.tif 000003
【図２】
0003222471.tif 000004
【図３】
0003222471.tif 000005
【図４】
0003222471.tif 000006
【図５】
0003222471.tif 000007
【図６】
0003222471.tif 000008